(57)【要約】【課題】複数の電子機器のユニットを収納する電子機器収納装置において、簡単に電子機器のユニットの位置を変更することができない。【解決手段】第１ユニットと第２ユニットを収納部に収納する電子機器収納装置において、第１ユニットは、当該第１ユニットの一端に設けた第１孔部と、当該第１ユニットの他端に設けた第１凹部とを備え、第２ユニットは、当該第２ユニットの一端であり前記第１ユニットの前記第１孔部と反対の端部に設けた第２孔部と、当該第２ユニットの他端に設けた第２凹部とを備え、ユニット収納部は、第１凹部が載置され第２孔部を貫通する位置に設けた第１支持部材と、第２凹部が載置され第１孔部を貫通する位置に設けた第２支持部材とを備える。【選択図】      図２
2007242749.tif 000002
【特許請求の範囲】
【請求項１】
第１ユニット及び第２ユニットをユニット収納部に収納した電子機器収納装置において、前記第１ユニットは、当該第１ユニットの一端に設けた第１孔部と、当該第１ユニットの他端に設けた第１凹部とを備え、前記第２ユニットは、当該第２ユニットの一端であり前記第１ユニットの前記第１孔部と反対の端部に設けた第２孔部と、当該第２ユニットの他端に設けた第２凹部とを備え、前記ユニット収納部は、前記第１凹部が載置され前記第２孔部を貫通する位置に設けた第１支持部材と、前記第２凹部が載置され前記第１孔部を貫通する位置に設けた第２支持部材とを備えることを特徴とする電子機器収納装置。
【請求項２】
第１ユニット、第２ユニット及び第３ユニットをユニット収納部に収納した電子機器収納装置において、前記第１ユニットは、当該第１ユニットの一端に設けた第１孔部と、当該第１ユニットの他端に設けた第１凹部とを備え、前記第２ユニットは、当該第２ユニットの一端であり前記第１ユニットの前記第１孔部と反対の端部に設けた第２孔部と、当該第２ユニットの他端に設けた第２凹部とを備え、前記第３ユニットは、両端に第３凹部を備え、前記ユニット収納部は、前記第１凹部及び前記第３凹部が載置され前記第２孔部を貫通する位置に設けた第１支持部材と、前記第２凹部及び前記第３凹部が載置され前記第１孔部を貫通する位置に設けた第２支持部材を備えることを特徴とする電子機器収納装置。
【発明の詳細な説明】
【技術分野】
【０００１】
本発明は、複数の電子機器のユニットを収納する電子機器収納装置に関する。
【背景技術】
【０００２】
オーディオ信号やビデオ信号を編集する編集装置などにおいては、例えば、信号の再生位置を移動させるためのダイヤル等を備えたユニットや、特定の位置から直接再生を開始させるためのボタンを備えたユニットなど、複数のユニットが編集装置に操作パネルとして設置されている。このような装置の操作パネル実装構造が特許文献１に開示されている。
【０００３】
【特許文献１】特開２００２−１２４７７６号公報
【発明の開示】
【発明が解決しようとする課題】
【０００４】
特許文献１に開示されている操作パネルの実装構造では、各ユニットが装置に固定されているため、ユーザが操作性をよくするため、ユニットの位置を変更したくてもユニットの位置の変更を簡単に行えず、手間がかかる。例えば、特許文献１の実装構造においては、パネルフレーム枠を取り外し、ユニットを装置に固定しているネジを外して、ユニットの位置を変更しなければならず、手間と時間がかかる。
【０００５】
オーディオ信号やビデオ信号の編集装置が編集ポイントを設定する操作をするときに使用するユニットと編集した信号を希望する位置から再生するための操作に用いるユニットを備え、ユーザが当該編集装置を用いて編集作業をする場合、それぞれの編集操作をする際に、ユーザ側に近い方に操作するユニットを配置した方がユーザにとって操作しやすい場合がある。また、ユーザより遠い位置に配置されたユニットを操作しているときに、誤ってユーザの手前に配置されているユニットのボタンを押すなど、操作ミスにつながる虞があり、ユーザが操作するユニットがユーザに近い位置に配置されていた方がよい場合がある。このような場合に、特許文献１に開示されている構造では、ユニットの位置の変更に手間と時間がかかるという欠点がある。
【０００６】
また、ユニットを装置から取り外して位置の変更を行う場合、取り外したユニットを別の場所に置き、もう一つのユニットを取り外し、そのユニットも別の場所に置き、先に取り外したユニットを装置に設置した後に、後で取り外したユニットを装置に設置しなければならないため、ユニットの位置を交換するためのスペースも必要になる。例えば、スタジオなどの狭いスペースでは、ユニットの位置の交換作業が煩わしいという欠点がある。
【０００７】
また、ユニットを装置から取り外して位置の変更を行う場合、ユニットを落として破損させる虞れがある。例えば、編集装置に用いられるユニットは、編集装置専用のユニットであるため、高価なユニットが多く、そのユニットを破損させる危険性を低くしたいという要望がある。
【０００８】
本発明は、複数の電子機器のユニットを収納部に収納する電子機器収納装置において、簡単に電子機器のユニットの位置を変更することができる電子機器収納装置を提供することを目的とする。
【課題を解決するための手段】
【０００９】
本発明は、第１ユニット及び第２ユニットをユニット収納部に収納した電子機器収納装置において、前記第１ユニットは、当該第１ユニットの一端に設けた第１孔部と、当該第１ユニットの他端に設けた第１凹部とを備え、前記第２ユニットは、当該第２ユニットの一端であり前記第１ユニットの前記第１孔部と反対の端部に設けた第２孔部と、当該第２ユニットの他端に設けた第２凹部とを備え、前記ユニット収納部は、前記第１凹部が載置され前記第２孔部を貫通する位置に設けた第１支持部材と、前記第２凹部が載置され前記第１孔部を貫通する位置に設けた第２支持部材とを備えることを特徴とする。
【００１０】
本発明は、第１ユニット、第２ユニット及び第３ユニットをユニット収納部に収納した電子機器収納装置において、前記第１ユニットは、当該第１ユニットの一端に設けた第１孔部と、当該第１ユニットの他端に設けた第１凹部とを備え、前記第２ユニットは、当該第２ユニットの一端であり前記第１ユニットの前記第１孔部と反対の端部に設けた第２孔部と、当該第２ユニットの他端に設けた第２凹部とを備え、前記第３ユニットは、両端に第３凹部を備え、前記ユニット収納部は、前記第１凹部及び前記第３凹部が載置され前記第２孔部を貫通する位置に設けた第１支持部材と、前記第２凹部及び前記第３凹部が載置され前記第１孔部を貫通する位置に設けた第２支持部材を備えることを特徴とする。
【発明の効果】
【００１１】
本発明によれば、複数の電子機器のユニットを収納部に収納する電子機器収納装置において、簡単にユニットの位置を変更することができる。
【発明を実施するための最良の形態】
【００１２】
図１は、本発明の電子機器収納装置の一実施形態の全体を示す図である。
本実施形態では、オーディオ信号を編集するオーディオ信号編集装置を例に挙げて説明する。当該オーディオ編集装置は、第１ユニットとして第１コントローラを備え、第２ユニットとして第２コントローラを備え、第１コントローラと第２コントローラをコントローラ収納部に収納した電子機器収納装置である。
図１において、電子機器収納装置は、オーディオ信号の信号レベルの設定するなどの編集を行う第１コントローラ１、オーディオ信号の特定の再生開始位置を設定するなどの編集を行う第２コントローラ２、第１コントローラ１と第２コントローラ２とを収納するコントローラ収納部３、第１コントローラ１及び第２コントローラ２を収納したコントローラ収納部３を保持する脚部４とを備える。
【００１３】
図２は、本実施形態の電子機器収納装置の各部を説明する斜視図である。
図２(a)において、第１コントローラ１は、各種のボタンや表示部などが設けられた第１操作パネル５、第１コントローラ１の両端のうちの一端に設けた第１孔部６、第１コントローラ１の他端に設けた第１凹部７を備える。また、図２(b)において、第２コントローラ２は、第１コントローラ１と同様に、各種のボタンや操作ダイヤルなどが設けられた第２操作パネル８、第２コントローラ２の両端のうちの一端に設けた第２孔部９、第２コントローラ２の他端に設けた第２凹部１０を備える。そして、第１コントローラ１の第１孔部６及び第１凹部７と、第２コントローラ２の第２孔部９及び第２凹部１０は、それぞれ第１コントローラ１及び第２コントローラ２に対し、左右反対に配置されている。
【００１４】
図２(c)において、コントローラ収納部３は、第１コントローラ１及び第２コントローラ２を収納する収納部１１、収納部１１の左右にそれぞれに設置された第１支持部材１２及び第２支持部材１３を備える。第１支持部材１２と第２支持部材１３は、コントローラ収納部３(収納部１１)の上部から抜き差しができる。
【００１５】
第１コントローラ１及び第２コントローラ２を収納部１１に収納する方法について説明する。本実施例では、コントローラ収納部３の収納部１１に、収納部１１の下部から、第２コントローラ２、第１コントローラ１の順番で収納するとする。
【００１６】
最初に、第１支持部材１２及び第２支持部材１３を収納部１１の上部から抜き出す。次に、第２コントローラ２の第２孔部９を収納部１１に入れた後、第２支持部材１３を収納部１１の上部から差し込み、第２コントローラ２の第２孔部９を貫通させた後、収納部１１の下部で固定する。第２コントローラ２の第２凹部１０側は、収納部１１に収納する。次に、第１コントローラ１の第１孔部６側を収納部１１に入れた後、第１支持部材１２を収納部１１の上部から差し込み、第１コントローラ１の第１孔部６を貫通させる。第１コントローラ１は、第１凹部７を第２支持部材１３に載置させる。そして、第１支持部材１２を第２コントローラ２の第２凹部１０を通過させて差し込み、収納部１１の下部で固定する。
【００１７】
次に、本実施形態の電子機器収納装置における第１コントローラ１と第２コントローラ２の位置の変更(第１コントローラ１と第２コントローラ２の上下の位置の入れ替え)について説明する。
図３は、本実施形態の電子機器収納装置における第１コントローラと第２コントローラの位置の変更を説明する図である。
前述したように、第１コントローラ１及び第２コントローラ２を収納部１１に収納すると、第３(a)に示す状態となる。
【００１８】
第１コントローラ１と第２コントローラ２の位置を変更する場合、図３(b)に示すように、第１コントローラ１の第１凹部７側及び第２コントローラ２の第２凹部１０側を持ち上げる。第１コントローラ１及び第２コントローラ２は、それぞれ第１孔部６及び第２孔部９に第１支持部材１２及び第２支持部材１３が貫通しているため、第１支持部材１２及び第２支持部材１３を軸として図３(b)の矢印に示すように回動する。
【００１９】
次に、図３(c)に示すように、第１コントローラ１を収納部１１の下部に、第２コントローラ２を収納部１１の上部に移動する。第１コントローラ１及び第２コントローラ２は、それぞれ第１孔部６及び第２孔部９を第１支持部材１２及び第２支持部材１３が貫通しているため、第１支持部材１２及び第２支持部材１３を移動する。
【００２０】
第１コントローラ１が収納部１１の下部に、第２コントローラ２が収納部１１の上部に移動した後、図３(d)に示すように、第１コントローラ１及び第２コントローラ２をそれぞれ第１支持部材１２及び第２支持部材１３を軸として図３(d)の矢印に示すように回動させ、第１コントローラ１の第１凹部７側及び第２コントローラ２の第２凹部１０側をそれぞれ第１支持部材１２及び第２支持部材１３に配置する。このことより、第１コントローラ１と第２コントローラ２の位置を入れ替えるが完了する。
【００２１】
なお、第１コントローラ１と第２コントローラ２からの配線は、第１コントローラ１及び第２コントローラ２の底部と収納部１１の底部との間に配線され、その配線は、収納部１１の上部から外部に取り出される。第１コントローラと第２コントローラの位置を入れ替えた場合でも、配線を変更する必要は無い。
【００２２】
以上のように、第１コントローラ１及び第２コントローラ２のそれぞれ一端を第１支持部材１２又は第２支持部材１３を貫通させ、他端を第１支持部材１２又は第２支持部材１３から取り離すことができる構造としたことにより、第１コントローラ１及び第２コントローラ２の一端を持ち上げ、第１コントローラ１及び第２コントローラ２を第１支持部材１２及び第２支持部材１３を移動させて、簡単に位置を入れ替えることができる。また、電子機器収納装置の収納部１１上で、第１コントローラ１と第２コントローラ２の位置の入れ替えができるため、第１コントローラ１と第２コントローラ２の位置を入れ替えるための作業スペースを確保する必要がない。また、第１コントローラ１及び第２コントローラ２の一端が第１支持部材１２及び第２支持部材１３が貫通し、コントローラ収納部３に移動可能に保持されているため、第１コントローラ１と第２コントローラの位置の入れ替えの作業の際に、第１コントローラ１又は第２コントローラ２が収納部１１から落下し、破損することがない。
【００２３】
前述した実施形態においては、第１コントローラ１及び第２コントローラ２は、それぞれ端部に、第１孔部６及び第２孔部９と第１凹部７及び第２凹部１０とを備えていたが、コントローラの両端に凹部を備える構成としてもよい。
【００２４】
図４は、本発明の電子機器収納装置の他の実施形態を説明する図である。
図４(a)(b)は、第３コントローラ１４であり、第３コントローラ１４は、両端に第３凹部１５を備える。この第３コントローラ１４を前述した実施形態の電子機器収納装置に用いた場合、３個以上のコントローラの位置の入れ替えが可能になる。
【００２５】
例えば、図４(c)に示すように、図２(a)に示す第１コントローラ１と図２(b)に示す第２コントローラ２との間に図４(a)(b)に示す第３コントローラ１４を配置している場合、第２コントローラ２と第３コントローラ１４を図３で説明した位置の入れ替え操作により、第１コントローラ１、第２コントローラ２、第３コントローラ１４の順序に配置しなおすことができる。また、図示しないが、第１コントローラ１と第３コントローラ１４を図３で説明した位置の入れ替え操作により、第３コントローラ１４、第１コントローラ１、第２コントローラ２の順序に配置しなおすこともできる
【００２６】
これは、第３コントローラ１４の両端に第３凹部１５が備えられているため、第３コントローラ１４は、第１支持部材１２側でも第２支持部材１３側でも第３コントローラ１４のいずれか一端を収納部１１から持ち上げることができる。このことにより、例えば、第１コントローラ１の第２支持部材１３側の第１凹部７を収納部１１から持ち上げ、第３コントローラ１４の第１支持部材１２側の第３凹部１５を持ち上げると、第１コントローラ１と第３コントローラ１４をそれぞれ第１支持部材１２及び第２支持部材１３を移動させて位置を入れ替えることができる。同様に、第２コントローラ２と第３コントローラ１４の位置の入れ替えもできる。また、電子機器収納装置に収納されている全てのコントローラが両端に凹部を備える構成でもよい。
【００２７】
以上のように、３個のコントローラを備える電子機器収納装置において、少なくとも１個のコントローラが両端に凹部を備えるコントローラであれば、上部に位置するコントローラと中間に位置するコントローラとの配置、或いは、中間に位置するコントローラと下部に位置するコントローラとの配置を簡単に入れ替えることができる。
【００２８】
なお、前述した実施形態においては、コントローラを収納部の上下で位置を変更する場合について説明したが、収納部の左右の位置を変更する場合であっても適用できる。
【００２９】
また、第１凹部７、第２凹部９、第３凹部１５は、例えばゴムなどの緩衝部材を備えるようにしてもよい。この場合、コントローラを移動し、コントローラを第１支持部材１２又は第２支持部材１３に配置する際にコントローラに与える衝撃を吸収することができ、コントローラの破損を防止することができる。
【図面の簡単な説明】
【００３０】
【図１】本発明の電子機器収納装置の一実施形態の全体を示す図。
【図２】本実施形態の電子機器収納装置の各部を説明する斜視図。
【図３】本実施形態の電子機器収納装置における第１コントローラと第２コントローラの配置の入れ替えを説明する図。
【図４】本発明の電子機器収納装置の他の実施形態を説明する図。
【符号の説明】
【００３１】
１・・・第１コントローラ、２・・・第２コントローラ、３・・・コントローラ収納部、４・・・脚部、５・・・第１操作パネル、６・・・第１孔部、７・・・第１凹部、８・・・第２操作パネル、９・・・第２孔部、１０・・・第２凹部、１１・・・収納部、１２・・・第１支持部材、１３・・・第２支持部材、１４・・・第３コントローラ、１５・・・第３凹部
【図１】
2007242749.tif 000003
【図２】
2007242749.tif 000004
【図３】
2007242749.tif 000005
【図４】
2007242749.tif 000006